(57)【要約】      （修正有）【課題】消去期間を減らすことができ、暗放電を減少させてコントラスト比を増加させるプラズマディスプレイ装置及びプラズマディスプレイ装置の駆動方法。【解決手段】プラズマディスプレイ装置及びプラズマディスプレイ装置の駆動方法は、プラズマディスプレイパネル及び電極駆動部を含み、プラズマディスプレイパネルは第１駆動電極及び第２駆動電極を含み、電極駆動部は第１極性の最後のサステインパルスを第２駆動電極に供給した後、第１極性と反対である第２極性のパルスを第２駆動電極に供給し、第１極性のパルスを第１駆動電極に供給する電極駆動部を含み、第２極性のパルスと第１極性のパルスとは重畳される。【選択図】図２Ａ
2007279730.tif 000002
【特許請求の範囲】
【請求項１】
第１駆動電極及び第２駆動電極を含むプラズマディスプレイパネルと、
第１極性の最後のサステインパルスを前記第２駆動電極に供給した後前記第１極性と反対である第２極性のパルスを前記第２駆動電極に供給して第１極性のパルスを前記第１駆動電極に供給する電極駆動部を含み、
前記第２極性のパルスと前記第１極性のパルスは重畳されることを特徴とするプラズマディスプレイ装置。
【請求項２】
前記第１極性のパルスはポジティブパルスであり、 前記第２極性のパルスはネガティブパルスであることを特徴とする、請求項１記載のプラズマディスプレイ装置。
【請求項３】
前記第１極性のパルスはネガティブパルスであり、前記第２極性のパルスはポジティブパルスであることを特徴とする、請求項１記載のプラズマディスプレイ装置。
【請求項４】
前記第２極性のパルスの上昇期間の少なくとも一部期間は前記第１極性のパルスの少なくとも一部期間と重なることを特徴とする、請求項１記載のプラズマディスプレイ装置。
【請求項５】
前記第２極性のパルスの下降期間の少なくとも一部期間は前記第１極性のパルスの少なくとも一部期間が重なることを特徴とする、請求項１記載のプラズマディスプレイ装置。
【請求項６】
前記電極駆動部は、
前記パルスが重なる期間の少なくとも一部の間前記第１極性及び前記第２極性のパルスのピーク電圧を供給することを特徴とする、請求項１記載のプラズマディスプレイ装置。
【請求項７】
前記第１極性及び前記第２極性のパルスのピーク電圧が供給される期間は１００ｎｓであるのを特徴とする、請求項６記載のプラズマディスプレイ装置。
【請求項８】
前記第１極性のパルスはリセットパルスであることを特徴とする、請求項１記載のプラズマディスプレイ装置。
【請求項９】
前記第２極性のパルスのピーク電圧の大きさは前記第１極性のパルスのピーク電圧大きさの１／３以上１／２以下のことを特徴とする、請求項１記載のプラズマディスプレイ装置。
【請求項１０】
パルス対は前記第１極性及び前記第２極性のパルスを含み、
前記電極駆動部は前記複数のパルス対を供給することを特徴とする請求項１記載のプラズマディスプレイ装置。
【請求項１１】
前記第１極性のパルスと前記第２極性のパルスはリセットパルスの供給以前に供給されることを特徴とする、請求項１記載のプラズマディスプレイ装置。
【請求項１２】
第１駆動電極及び第２駆動電極を含むプラズマディスプレイ装置の駆動方法において、第１極性の最後のサステインパルスを前記第２駆動電極に供給する段階と、
前記第１極性と反対である第２極性のパルスを前記第２駆動電極に供給する段階と、
前記第１極性のパルスを前記第１駆動電極に供給する段階を含み、
前記第１極性のパルスと前記第２極性のパルスは重畳されることを特徴とするプラズマディスプレイ装置の駆動方法。
【請求項１３】
前記第１極性のパルスはポジティブパルスであり、前記第２極性のパルスはネガティブパルスであることを特徴とする、請求項１２記載のプラズマディスプレイ装置の駆動方法。
【請求項１４】
前記第１極性のパルスはネガティブパルスであり、前記第２極性のパルスはポジティブパルスであることを特徴とする、請求項１２記載のプラズマディスプレイ装置の駆動方法。
【請求項１５】
前記第２極性のパルスの上昇期間の少なくとも一部期間は前記第１極性のパルスの少なくとも一部期間と重なることを特徴とする、請求項１２記載のプラズマディスプレイ装置の駆動方法。
【請求項１６】
前記第２極性のパルスの下降期間の少なくとも一部期間は前記第１極性のパルスの少なくとも一部期間が重なることを特徴とする、請求項１２記載のプラズマディスプレイ装置の駆動方法。
【請求項１７】
前記パルスが重なる期間の少なくとも一部の間前記第１極性及び前記第２極性のパルスのピーク電圧が供給されることを特徴とする、請求項１２記載のプラズマディスプレイ装置の駆動方法。
【請求項１８】
前記第１極性及び前記第２極性のパルスのピーク電圧が供給される期間は１００ｎｓであるのを特徴とする、請求項１７記載のプラズマディスプレイ装置の駆動方法。
【請求項１９】
前記第１極性のパルスはリセットパルスであることを特徴とする、請求項１２記載のプラズマディスプレイ装置の駆動方法。
【請求項２０】
前記第２極性のパルスのピーク電圧の大きさは前記第１極性のパルスのピーク電圧大きさの１／３以上１／２以下のことを特徴とする、請求項１２記載のプラズマディスプレイ装置の駆動方法。
【請求項２１】
パルス対は前記第１極性及び前記第２極性のパルスを含み、
前記複数のパルス対が供給されることを特徴とする、請求項１２記載のプラズマディスプレイ装置の駆動方法。
【請求項２２】
前記第１極性のパルスと前記第２極性のパルスはリセットパルスの供給以前に供給されることを特徴とする、請求項１２記載のプラズマディスプレイ装置の駆動方法。
【発明の詳細な説明】
【技術分野】
【０００１】
本発明はプラズマディスプレイ装置及びプラズマディスプレイ装置の駆動方法に関する。
【背景技術】
【０００２】
プラズマディスプレイ装置はプラズマディスプレイパネルと駆動部を含む。プラズマディスプレイパネルは隔壁によって区画された放電セルを含む。駆動部がプラズマディスプレイパネルの電極に駆動信号を供給すれば、駆動信号によって放電が放電セルで発生して、 放電が放電セル内部の蛍光体を励起させれば、蛍光体は光を放出する。
【０００３】
プラズマディスプレイ装置はサブフィールドの組合によって階調を表現する。すなわち、 プラズマディスプレイ装置は各サブフィールド間に光を外部で放出してサブフィールドそれぞれで外部に放出された光量の合によって階調が表現される。
【０００４】
各サブフィールドはリセット期間、アドレス期間及びサステイン期間を含む。リセット期間の間プラズマディスプレイパネルの全体放電セルの壁電荷が均一に形成される。アドレス期間の間光を放出する放電セルが選択される。サステイン期間中選択された放電セルから光が放出される。
【０００５】
本発明はサステイン期間が終われば放電セル内の壁電荷一部が消去される時間が必要であり、消去時間が増加すればリセット期間、アドレス期間またはサステイン期間に影響を与えるようになる。
【発明の開示】
【発明が解決しようとする課題】
【０００６】
本発明の目的は、消去に必要な時間を減らすことができるプラズマディスプレイ装置及び駆動方法を提供することにある。
【課題を解決するための手段】
【０００７】
本発明のプラズマディスプレイ装置は第１駆動電極及び第２駆動電極を含むプラズマディスプレイパネル及び第１極性の最後のサステインパルスを前記第２駆動電極に供給した後前記第１極性と反対である第２極性のパルスを前記第２駆動電極に供給して第１極性のパルスを前記第１駆動電極に供給する電極駆動部を含み、 前記第２極性のパルスと前記第１極性のパルスは重畳される。
【０００８】
前記第１極性のパルスはポジティブパルスであり、前記第２極性のパルスはネガティブパルスであることができる。
【０００９】
前記第１極性のパルスはネガティブパルスであり、前記第２極性のパルスはポジティブパルスであることができる。
【００１０】
前記第２極性のパルスの上昇期間の少なくとも一部期間は前記第１極性のパルスの少なくとも一部期間と重なることができる。
【００１１】
前記第２極性のパルスの下降期間の少なくとも一部期間は前記第１極性のパルスの少なくとも一部期間が重なることができる。
【００１２】
前記電極駆動部は前記パルスが重なる期間の少なくとも一部の間前記第１極性及び前記第２極性のパルスのピーク電圧を供給することができる。
【００１３】
前記第１極性及び前記第２極性のパルスのピーク電圧が供給される期間は１００ｎｓであることがある。
【００１４】
前記第１極性のパルスはリセットパルスであることができる。
【００１５】
前記第２極性のパルスのピーク電圧の大きさは前記第１極性のパルスのピーク電圧大きさの１／３以上１／２以下であることがある。
【００１６】
パルス対は前記第１極性及び前記第２極性のパルスを含み、 前記電極駆動部は前記複数のパルス対を供給することができる。
【００１７】
前記第１極性のパルスと前記第２極性のパルスはリセットパルスの供給以前に供給されることができる。
【００１８】
本発明のプラズマディスプレイ装置の駆動方法は第１極性の最後のサステインパルスを前記第２駆動電極に供給する段階、前記第１極性と反対である第２極性のパルスを前記第２駆動電極に供給する段階及び前記第１極性のパルスを前記第１駆動電極に供給する段階を含み、前記第１極性のパルスと前記第２極性のパルスは重畳される。
【００１９】
前記第１極性のパルスはポジティブパルスであり、前記第２極性のパルスはネガティブパルスであることができる。
【００２０】
前記第１極性のパルスはネガティブパルスであり、前記第２極性のパルスはポジティブパルスであることができる。
【００２１】
前記第２極性のパルスの上昇期間の少なくとも一部期間は前記第１極性のパルスの少なくとも一部期間と重なることができる。
【００２２】
前記第２極性のパルスの下降期間の少なくとも一部期間は前記第１極性のパルスの少なくとも一部期間が重なることができる。
【００２３】
前記パルスが重なる期間の少なくとも一部の間前記第１極性及び前記第２極性のパルスのピーク電圧が供給されることができる。
【００２４】
前記第１極性及び前記第２極性のパルスのピーク電圧が供給される期間は１００ ｎｓであることがある。
【００２５】
前記第１極性のパルスはリセットパルスであることができる。
【００２６】
前記第２極性のパルスのピーク電圧の大きさは前記第１極性のパルスのピーク電圧大きさの１／３以上１／２以下であることがある。
【００２７】
パルス対は前記第１極性及び前記第２極性のパルスを含み、前記複数のパルス対が供給されることができる。
【００２８】
前記第１極性のパルスと前記第２極性のパルスはリセットパルスの供給以前に供給されることができる。
【発明の効果】
【００２９】
本発明のプラズマディスプレイ装置及びプラズマディスプレイ方法は消去期間を減らすことができる。
【００３０】
また本発明のプラズマディスプレイ装置及びプラズマディスプレイ方法は暗放電を減少させてコントラスト比を増加させる。
【発明を実施するための最良の形態】
【００３１】
以下では本発明による具体的な実施形態を添付された図面を参照して説明する。
【００３２】
図１は本発明の実施形態に係るプラズマディスプレイ装置を示すのである。図１に示されたのように、本発明の実施形態に係るプラズマディスプレイ装置はプラズマディスプレイパネル１００、データ駆動部１１０、電極駆動部１２０及びコントローラ１３０を含む。
【００３３】
プラズマディスプレイパネル１００は第１駆動電極及び第２駆動電極を含む。第１駆動電極はスキャン電極（Ｙ１〜Ｙｎ）であることがあって、第２駆動電極はサステイン電極（Ｚ）であることがある。 またプラズマディスプレイパネル１００はアドレス電極（Ｘ１〜Ｘｍ）を含む。
【００３４】
データ駆動部１１０はアドレス期間でサステイン放電が起きるセルを選択するためのアドレッシンパルスをプラズマディスプレイパネル１００のアドレス電極（Ｘ１〜Ｘｍ）に供給する。データ駆動部１１０はアドレッシンパルスを供給するためのＶａまたはグラウンドレベルの電圧をアドレス電極（Ｘ１〜Ｘｍ）に供給する。
【００３５】
電極駆動部１２０は第１駆動電極及び第２駆動電極を駆動する。例えば、電極駆動部１２０はリセット期間にリセットパルスを、アドレス期間にスキャンパルス及びスキャン基準電圧を、そしてサステイン期間にサステインパルスをスキャン電極（Ｙ１〜Ｙｎ）に供給する。また電極駆動部１２０はアドレス期間にバイアス電圧を、そしてサステイン期間にサステインパルスをサステイン電極（Ｚ）に供給する。
【００３６】
電極駆動部１２０は第１極性の最後のサステインパルスを第２駆動電極に供給した後第１極性と反対である第２極性のパルスを第２駆動電極に供給して第１極性のパルスを第１駆動電極に供給する。第２極性のパルスと第１極性のパルスは重畳される。電極駆動部１２０の動作は以後に詳しく説明される。
【００３７】
コントローラ１３０はデータ駆動部１１０と電極駆動部１２０の動作を制御する。
【００３８】
図２Ａは本発明の実施形態に係るプラズマディスプレイ装置の駆動パルス波形の第１実施形態を示す。 駆動パルス波形の第１実施形態は第２極性のパルスが第１極性のパルスより先に供給される。図２Ａに示された駆動パルス波形の第１実施形態は第１極性のパルスがポジティブパルス（ＰＰ）で、第２極性のパルスがネガティブパルス（ＰＮ）の場合である。 
【００３９】
図２Ａに示されたのように、図１の電極駆動部１２０はサステイン期間に最後のポジティブサステインパルス（ＳＵＳＬＡＳＴ）をサステイン電極（Ｚ）に供給した後サステイン電極（Ｚ）にネガティブパルス（ＰＮ）を供給して、ネガティブパルス（ＰＮ）と重畳期間（ＴＯＬ）間重なるようにスキャン電極（Ｙ）にポジティブパルス（ＰＰ）を供給する。
【００４０】
重畳期間（ＴＯＬ）はネガティブパルス（ＰＮ）の上昇期間（Ｔｒ１）の少なくとも一部期間とポジティブパルス（ＰＰ）の上昇期間（Ｔｒ２）の少なくとも一部期間が重なる時間であることができる。例えば、ポジティブパルス（ＰＰ）の上昇期間（Ｔｒ２）が１５０ｎｓの場合、３０ｎｓが重畳期間であるかも知れない。 
【００４１】
また、電極駆動部１２０はネガティブパルス（ＰＮ）とポジティブパルス（ＰＰ）が重なる期間の少なくとも一部の間ネガティブパルス（ＰＮ）とポジティブパルス（ＰＰ）のピーク電圧（−Ｖｅｒ２、Ｖｅｒ１）を供給することができる。 
【００４２】
ネガティブパルス（ＰＮ）及びポジティブパルス（ＰＰ）のピーク電圧（−Ｖｅｒ２、Ｖｅｒ１）が供給される期間は１００ｎｓ 以下であることがある。ネガティブパルス（ＰＮ）のピーク電圧（−Ｖｅｒ２）とポジティブパルス（ＰＰ）のピーク電圧（Ｖｅｒ１）の重なる時間が１００ｎｓ以下であれば、光発生が抑制されてプラズマディスプレイ装置のコントラスト比の低下が防止される。 
【００４３】
重畳期間（ＴＯＬ）の間ネガティブパルス（ＰＮ）とポジティブパルス（ＰＰ）が重畳されてスキャン電極（Ｙ）とサステイン電極（Ｚ）の間の電位差が大きく増加するので壁電荷の消去時間が減る。すなわち、ポジティブパルス（ＰＰ）のピーク電圧（Ｖｅｒ１）が１８０Ｖでありネガティブパルス（ＰＮ）のピーク電圧（−Ｖｅｒ２）が−９０Ｖである場合、スキャン電極（Ｙ）とサステイン電極（Ｚ）の間の電位差は２７０Ｖになって短い期間に壁電荷の消去がなすことができる。
【００４４】
壁電荷の消去によってサステイン期間にサステイン放電が起きた放電セルとのサステイン放電が起きない放電セルの壁電荷偏差が大きくないので図２Ａに示されたリセットパルス（Ｐｒｅｓｅｔ）の最高電圧（Ｖｒｅｓｅｔ）は減少されることができる。したがってリセットパルスの供給によって起きる光発生量が減ってプラズマディスプルレイ装置のコントラスト特性が向上する。
【００４５】
リセットパルスは、図２Ｂに示されたのように、サステイン電極（Ｚ）及びスキャン電極（Ｙ）に供給されるネガティブパルス（ＰＮ）とポジティブパルス（ＰＰ）だけで壁電荷
の消去が完全に成り立たないこともあるので電極駆動部１２０はリセットパルス（Ｐｒｅｓｅｔ）の最高電圧（Ｖｓｔ＋Ｖｓ）を増加させて各放電セルに形成された壁電荷量を均一化する。
【００４６】
ネガティブパルス（ＰＮ）のピーク電圧（−Ｖｅｒ２）の大きさはポジティブパルス（ＰＰ）のピーク電圧（Ｖｅｒ１）大きさの１／３以上１／２以下である。例えば、ポジティブパルス〔ＰＰ〕のピーク電圧（Ｖｅｒ１）大きさが１８０Ｖ である場合ネガティブパルス（ＰＮ）のピーク電圧（−Ｖｅｒ２）は−９０Ｖ以上−６０Ｖ以下である。ネガティブパルス（ＰＮ）のピーク電圧（−Ｖｅｒ２）の大きさはポジティブパルス（ＰＰ）のピーク電圧（Ｖｅｒ１）大きさの１／３以上１／２以下なのでサステイン電圧（Ｖｓ）のような高電圧の利用なしに壁電荷が消去されることができる。サステイン電圧（Ｖｓ）はサステインパルスの最高電圧である。またポジティブパルス（ＰＰ）の幅は２μs 以上２.５μs以下であり、ネガティブパルス（ＰＮ）の幅は１５０ｎｓ以上２μs以下である。
【００４７】
図３Ａ乃至図３Ｃは本発明の実施形態に係るプラズマディスプレイ装置の駆動パルスの第１実施形態に係る壁電荷の変化を示したのである。
【００４８】
図３Ａに示されたのように、サステイン電極（Ｚ）に最後のサステインパルス（ＳＵＳＬＡＳＴ）が供給されればスキャン電極（Ｙ）にはポジティブ壁電荷が形成されてサステイン電極（Ｚ）にはネガティブ壁電荷が形成される。
【００４９】
図３Ｂに示されたのように、サステイン電極（Ｚ）にネガティブパルスが供給されればサステイン電極（Ｚ）上のネガティブ電荷がセル空間に移動してセル空間にあったポジティブ電荷がサステイン電極（Ｚ）に移動してサステイン電極（Ｚ）上のネガティブ電荷と結合することでサステイン電極（Ｚ） 上の  ネガティブ電荷が消去される。またスキャン電極（Ｙ）上のポジティブ電荷がセル空間に移動してセル空間にあったネガティブ電荷がスキャン電極（Ｙ）に移動してスキャン電極（Ｙ）上のポジティブ電荷と結合することでスキャン電極（Ｙ）上のポジティブ電荷が消去される。
【００５０】
図３Ｃに示されたのように、サステイン電極（Ｚ）にネガティブパルスが供給された後スキャン電極（Ｙ）にポジティブパルスが供給されれば、スキャン電極（Ｙ）上のポジティブ電荷がセル空間に移動してセル空間にあったネガティブ電荷がスキャン電極（Ｙ）に移動してスキャン電極（Ｙ）上のポジティブ電荷と結合することでスキャン電極（Ｙ）上のポジティブ電荷が消去される。また、サステイン電極（Ｚ）上のネガティブ電荷がセル空間に移動してセル空間にあったポジティブ電荷がサステイン電極（Ｚ）に移動してサステイン電極（Ｚ）上のネガティブ電荷と結合することでサステイン電極（Ｚ）上のネガティブ電荷が消去される。
【００５１】
この時、サステイン電極（Ｚ）に供給されたネガティブパルスとスキャン電極（Ｙ）に供給されたポジティブパルスが重畳期間の間重畳されるからスキャン電極（Ｙ）とサステイン電極（Ｚ）の間の電位差が大きくなるので短い時間に壁電荷の消去が成す。
【００５２】
もし最後のサステインパルス（ＳＵＳＬＡＳＴ）がサステイン電極（Ｙ）ではないスキャン電極（Ｙ）に供給される場合、ネガティブパルスがスキャン電極（Ｙ）に先に供給されてスキャン電極（Ｙ）に先に供給されたネガティブパルスと重畳期間位重なるポジティブパルスがサステイン電極（Ｚ）に供給される。
【００５３】
図４は本発明の実施形態に係るプラズマディスプレイ装置の駆動パルス波形の第２実施形態を示したのである。図４に示されたのように、図２Ａの電極駆動部１２０はサステイン期間に最後のポジティブサステインパルス（ＳＵＳＬＡＳＴ）をサステイン電極（Ｚ）に供給した後サステイン電極（Ｚ）にネガティブパルス（ＰＮ）を供給して、ネガティブパルス（ＰＮ）と重畳期間（ＴＯＬ）間重なるようにスキャン電極（Ｙ）にポジティブパルス（ＰＰ）を供給する。この時スキャン電極（Ｙ）に供給されるポジティブパルス（ＰＰ）はリセット期間にスキャン電極（Ｙ）に供給されるリセットパルスである。重畳期間（ＴＯＬ）及びネガティブパルス（ＰＮ）またはポジティブパルス（ＰＰ）のピーク電圧は図２Ａの第１実施形態と同一であるので詳細な説明を略する。 
【００５４】
図５は本発明の実施形態に係るプラズマディスプレイ装置の駆動パルス波形の第３実施形態を示す。 駆動パルス波形の第３実施形態は第１実施形態と同じく第２極性のパルスが第１極性のパルスより先に供給される。駆動パルス波形の第３実施形態は最後のサステインパルスはネガティブ極性を持って、第１極性のパルスはネガティブパルス（ＰＮ）であり、第２極性のパルスがポジティブパルス（ＰＰ）の場合である。
【００５５】
例えば、図５に示されたのように、図１の電極駆動部１２０はサステイン期間に最後のネガティブサステインパルス（ＳＵＳＬＡＳＴ）をサステイン電極（Ｚ）に供給した後サステイン電極（Ｚ）にポジティブパルス（ＰＰ）を供給して、ポジティブパルス（ＰＰ）と重畳期間（ＴＯＬ）間重なるようにスキャン電極（Ｙ）にネガティブパルス（ＰＮ）を供給する。
【００５６】
重畳期間（ＴＯＬ）はポジティブパルス（ＰＰ）の下降期間（Ｔｆ１）の少なくとも一部期間とネガティブパルス（ＰＮ）の下降期間（Ｔｆ２）の少なくとも一部期間が重なる時間であることができる。例えば、ネガティブパルス（ＰＮ）の下降期間（Ｔｆ２）が１５０ｎｓの場合、３０ｎｓが重畳期間（ＴＯＬ）であることもある。 
【００５７】
また、電極駆動部１２０はネガティブパルス（ＰＮ）とポジティブパルス（ＰＰ）が重なる期間の少なくとも一部の間ネガティブパルス（ＰＮ）とポジティブパルス（ＰＰ）のピーク電圧（−Ｖｅｒ１、Ｖｅｒ２）を供給することができる。
【００５８】
ポジティブパルス（ＰＰ）及びネガティブパルスのピーク電圧（Ｖｅｒ２、−Ｖｅｒ１）が供給される期間は１００ｎｓ以下であることがある。ポジティブパルス（ＰＰ）のピーク電圧（Ｖｅｒ２）とネガティブパルス（ＰＮ）のピーク電圧（−Ｖｅｒ１）の重なる時間が１００ｎｓ以下ならば、光発生が抑制されてプラズマディスプレイ装置のコントラスト比の低下が防止される。 
【００５９】
重畳期間（ＴＯＬ）間ネガティブパルス（ＰＮ）とポジティブパルス（ＰＰ）が重畳されてスキャン電極（Ｙ）とサステイン電極（Ｚ）の間の電位差が大きく増加するので壁電荷の消去時間が減る。
【００６０】
ポジティブパルス（ＰＰ）のピーク電圧（Ｖｅｒ２）の大きさはネガティブパルス（ＰＮ）のピーク電圧（−Ｖｅｒ１）大きさの１／３以上１／２以下の時、ネガティブサステイン電圧（−Ｖｓ）のような高電圧の利用なしに壁電荷が消去されることができる。
【００６１】
図６Ａ及び図６Ｂは本発明の実施形態に係るプラズマディスプレイ装置の駆動パルス波形の第４実施形態及び第５実施形態を示す。第４実施形態及び第５実施形態で電極駆動部１２０は複数のパルス対（Ｐｐａｉｒ１、Ｐｐａｉｒ２）を供給することができる。パルス対は第１極性及び第２極性のパルスを含む。 第４実施形態でパルス対（Ｐｐａｉｒ１）は図２Ａのネガティブパルス（ＰＮ）及びポジティブパルス（ＰＰ）を含む。第５実施形態でパルス対（Ｐｐａｉｒ２）は図５のネガティブパルス（ＰＮ）及びポジティブパルス（ＰＰ）含む。
【００６２】
図７は本発明の実施形態に係るプラズマディスプレイ装置の駆動パルス波形の第６実施形態を示したのである。
【００６３】
駆動パルス波形の第６実施形態は第２極性のパルスが第１極性のパルスより後で供給される。第６実施形態は最後のサステインパルス（ＳＵＳＬＡＳＴ）はポジティブ極性を持って、第１極性のパルスがポジティブパルス（ＰＰ）であり、第２極性のパルスがネガティブパルス（ＰＮ）の場合である。 
【００６４】
図７に示されたのように、図１の電極駆動部１２０はサステイン期間に最後のポジティブサステインパルス（ＳＵＳＬＡＳＴ）をサステイン電極（Ｚ）に供給した後スキャン電極（Ｙ）にポジティブパルス（ＰＰ）を供給して、ポジティブパルス（ＰＰ）と重畳期間（ＴＯＬ）間重なるようにサステイン電極（Ｚ）にネガティブパルス（ＰＮ）を供給する。
【００６５】
重畳期間（ＴＯＬ）はポジティブパルス（ＰＰ）の下降期間（Ｔｆ１）の少なくとも一部期間とネガティブパルス（ＰＮ）の下降期間（Ｔｆ２）の少なくとも一部期間が重なる時間であることができる。 
【００６６】
電極駆動部１２０はネガティブパルス（ＰＮ）とポジティブパルス（ＰＰ）が重なる期間の少なくとも一部の間ネガティブパルス（ＰＮ）とポジティブパルス（ＰＰ）のピーク電圧（−Ｖｅｒ２、Ｖｅｒ１）を供給することができる。 ピーク電圧（−Ｖｅｒ２、Ｖｅｒ１）が供給される期間及び大きさは第１実施形態と同一であるので詳細な説明は省略する。
【００６７】
重畳期間（ＴＯＬ）の間ネガティブパルス（ＰＮ）とポジティブパルス（ＰＰ）が重畳されてスキャン電極（Ｙ）とサステイン電極（Ｚ）の間の電位差が大きく増加するので壁電荷の消去時間とリセットパルス（Ｐｒｅｓｅｔ）の最高電圧（Ｖｒｅｓｅｔ）が減る。
【００６８】
図８Ａ乃至図８Ｃ は本発明の実施形態に係るプラズマディスプレイ装置の駆動パルスの第６実施形態に係る壁電荷の変化を示したのである。
【００６９】
図８Ａに示されたのように、サステイン電極（Ｚ）に最後のポジティブサステインパルス（ＳＵＳＬＡＳＴ）が供給されればスキャン電極（Ｙ）にはポジティブ壁電荷が形成されてサステイン電極（Ｚ）にはネガティブ壁電荷が形成される。
【００７０】
図８Ｂに示されたのように、スキャン電極（Ｙ）にポジティブパルスが供給されればスキャン電極（Ｙ）上のポジティブ電荷がセル空間に移動してセル空間にあったネガティブ電荷がスキャン電極（Ｙ）に移動してスキャン電極（Ｙ）上のポジティブ電荷と結合することでスキャン電極（Ｙ）上のポジティブ電荷が消去される。またサステイン電極（Ｚ）上のネガティブ電荷がセル空間に移動してセル空間にあったポジティブ電荷がサステイン電極（Ｚ）に移動してサステイン電極（Ｚ）上のネガティブ電荷と結合することでサステイン電極（Ｚ）上のネガティブ電荷が消去される。
【００７１】
図８Ｃに示されたのように、スキャン電極（Ｙ）にポジティブパルスが供給された後サステイン電極（Ｚ）にネガティブパルスが供給されれば、サステイン電極（Ｚ）上のネガティブ電荷がセル空間に移動してセル空間にあったポジティブ電荷がサステイン電極（Ｚ）に移動してサステイン電極（Ｚ）上のネガティブ電荷と結合することでサステイン電極（Ｚ） 上のネガティブ電荷が消去される。またスキャン電極（Ｙ）上のポジティブ電荷がセル空間に移動してセル空間にあったネガティブ電荷がスキャン電極（Ｙ）に移動してスキャン電極（Ｙ）上のポジティブ電荷と結合することでスキャン電極（Ｙ）上のポジティブ電荷が消去される。
【００７２】
この時、サステイン電極（Ｚ）に供給されたネガティブパルスとスキャン電極（Ｙ）に供給されたポジティブパルスが重畳期間の間重畳されるからスキャン電極（Ｙ）とサステイン電極（Ｚ）の間の電位差が大きく形成されて短い時間に壁電荷の消去が成り立つ。
【００７３】
もし最後のサステインパルス（ＳＵＳＬＡＳＴ）がサステイン電極（Ｙ）ではないスキャン電極（Ｙ）に供給される場合、ポジティブパルスがサステイン電極（Ｚ）に先に供給されてサステイン電極（Ｚ）に先に供給されたポジティブパルスと重畳期間位重なるネガティブパルスがスキャン電極（Ｙ）に供給される。
【００７４】
図９は本発明の実施形態に係るプラズマディスプレイ装置の駆動パルス波形の第７実施形態を示したのである。
【００７５】
駆動パルス波形の第７実施形態は第２極性のパルスが第１極性のパルスより後で供給される。第７実施形態は最後のサステインパルス（ＳＵＳＬＡＳＴ）はネガティブ極性を持って、第１極性のパルスがネガティブパルス（ＰＮ）であり、第２極性のパルスがポジティブパルス（ＰＰ）の場合である。
【００７６】
図９に示されたのように、 図１の電極駆動部１２０はサステイン期間に最後のネガティブサステインパルス(ＳＵＳＬＡＳＴ)をサステイン電極（Ｚ）に供給した後スキャン電極（Ｙ）にネガティブパルス（ＰＮ)を供給して、ネガティブパルス（ＰＮ）と重畳期間（ＴＯＬ）間重なるようにサステイン電極（Ｚ）にポジティブパルス（ＰＰ）を供給する。
【００７７】
重畳期間（ＴＯＬ）はネガティブパルス（ＰＮ）の上昇期間（Ｔｒ１）の少なくとも一部期間とポジティブパルス（ＰＰ）の上昇期間（Ｔｒ２）の少なくとも一部期間が重なる時間であることができる。
【００７８】
電極駆動部１２０はネガティブパルス（ＰＮ）とポジティブパルス（ＰＰ）が重なる期間の少なくとも一部の間ネガティブパルス（ＰＮ）とポジティブパルス（ＰＰ）のピーク電圧（Ｖｅｒ２、−Ｖｅｒ１）を供給することができる。ピーク電圧（Ｖｅｒ２、−Ｖｅｒ１）が供給される期間及び大きさは第３実施形態と同一であるので詳細な説明は省略する。
【００７９】
図１０ａ及び図１０ｂは本発明の実施形態に係るプラズマディスプレイ装置の駆動パルス波形の第８実施形態及び第９実施形態を示したのである。第８実施形態及び第９実施形態で電極駆動部１２０は複数のパルス対（Ｐｐａｉｒ１、Ｐｐａｉｒ２）を供給することができる。パルス対は第１極性及び第２極性のパルスを含む。第８実施形態でパルス対（Ｐｐａｉｒ１）は図７のネガティブパルス（ＰＮ）及びポジティブパルス（ＰＰ）を含む。第９実施形態でパルス対（Ｐｐａｉｒ２）は図９のネガティブパルス（ＰＮ）及びポジティブパルス（ＰＰ）含む。複数のパルス対が供給されれば壁電荷の消去量が大きくなるので放電セル内の壁電荷偏差が減少するのでリセットパルスの最高電圧が減少してコントラスト比が増加する。 
【００８０】
本発明の駆動パルス波形の第１実施形態乃至第９実施形態の内で図４の第２実施形態を除いたのこり実施形態で第１極性のパルスと第２極性のパルスはリセットパルスの供給以前に供給される。 また図４の第２実施形態を除いたのこり実施形態で第１極性のパルス及び第２極性パルスの幅が最後のサステインパルスの幅（Ｗｓｕｓ）より小さければ、壁電荷の消去時間が減って放電セルから光の放出されないのでコントラスト特性が向上する。 例えば、図２Ａの第１実施形態でポジティブパルス（ＰＰ）の幅（Ｗｐ）とネガティブパルス（ＰＮ）の幅（Ｗｎ）は最後のポジティブサステインパルスの幅（Ｗｓｕｓ）より小さい。
【図面の簡単な説明】
【００８１】
【図１】本発明の実施形態に係るプラズマディスプレイ装置を示す図。
【図２Ａ】本発明の実施形態に係るプラズマディスプレイ装置の駆動パルス波形の第１実施形態を示す図。
【図２Ｂ】図２Ａの第１実施形態の他のリセットパルスの波形を示す図。
【図３Ａ】本発明の実施形態に係るプラズマディスプレイ装置の駆動パルスの第１実施形態に係る壁電荷の変化を示す図。
【図３Ｂ】本発明の実施形態に係るプラズマディスプレイ装置の駆動パルスの第１実施形態に係る壁電荷の変化を示す図。
【図３Ｃ】本発明の実施形態に係るプラズマディスプレイ装置の駆動パルスの第１実施形態に係る壁電荷の変化を示す図。
【図４】本発明の実施形態に係るプラズマディスプレイ装置の駆動パルス波形の第２実施形態を示す図。
【図５】本発明の実施形態に係るプラズマディスプレイ装置の駆動パルス波形の第３実施形態を示す図。
【図６Ａ】本発明の実施形態に係るプラズマディスプレイ装置の駆動パルス波形の第４実施形態及び第５実施形態を示す図。
【図６Ｂ】本発明の実施形態に係るプラズマディスプレイ装置の駆動パルス波形の第４実施形態及び第５実施形態を示す図。
【図７】本発明の実施形態に係るプラズマディスプレイ装置の駆動パルス波形の第６実施形態を示す図。
【図８Ａ】本発明の実施形態に係るプラズマディスプレイ装置の駆動パルスの第６実施形態に係る壁電荷の変化を示す図。
【図８Ｂ】本発明の実施形態に係るプラズマディスプレイ装置の駆動パルスの第６実施形態に係る壁電荷の変化を示す図。
【図８Ｃ】本発明の実施形態に係るプラズマディスプレイ装置の駆動パルスの第６実施形態に係る壁電荷の変化を示す図。
【図９】本発明の実施形態に係るプラズマディスプレイ装置の駆動パルス波形の第７実施形態を示す図。
【図１０Ａ】本発明の実施形態に係るプラズマディスプレイ装置の駆動パルス波形の第８実施形態及び第９実施形態を示す図。
【図１０Ｂ】本発明の実施形態に係るプラズマディスプレイ装置の駆動パルス波形の第８実施形態及び第９実施形態を示す図。
【図１】
2007279730.tif 000003
【図２Ａ】
2007279730.tif 000004
【図２Ｂ】
2007279730.tif 000005
【図３Ａ】
2007279730.tif 000006
【図３Ｂ】
2007279730.tif 000007
【図３Ｃ】
2007279730.tif 000008
【図４】
2007279730.tif 000009
【図５】
2007279730.tif 000010
【図６Ａ】
2007279730.tif 000011
【図６Ｂ】
2007279730.tif 000012
【図７】
2007279730.tif 000013
【図８Ａ】
2007279730.tif 000014
【図８Ｂ】
2007279730.tif 000015
【図８Ｃ】
2007279730.tif 000016
【図９】
2007279730.tif 000017
【図１０Ａ】
2007279730.tif 000018
【図１０Ｂ】
2007279730.tif 000019